(57)【要約】【課題】  外枠に音の出口を設けても、本体の取り外しや開閉が容易にできる遊技機を提供すること。【解決手段】  スピーカ１６は、中枠１４の裏面側にその前面を遊技機の裏面方向に向けて固定され、スピーカ１６とダクト２０の第２の開口部２０ｂとは互いに接続されていない。また、ダクト２０の第１の開口部２０ａは、外枠４の下端部に固定された板部材８の音出口１０に対向して板部材８の裏面側に固定されている。よって、中枠１４を開放する場合にも、いちいち、スピーカ１６とダクト２０の第２の開口部２０ｂとの接続を外す必要がなく、また、スピーカ１６の配線を外す必要もなく、当該配線を断線する虞もない。【選択図】  図７
2006197957.tif 000002
【特許請求の範囲】
【請求項１】
遊技機の機体の外郭を構成し、且つ、当該遊技機が設置される島設備に固定される外枠と、
当該外枠に設けられた音出口と、
前記外枠の裏面側で前記音出口に、第１の開口部が接続された音響伝達用の音通路と、
前記外枠に開閉可能に支持された本体の裏面側に設けられたスピーカと
を備え、
前記音通路の前記第１の開口部と連通した第２の開口部は、前記スピーカと対向する位置に設けられ、
且つ、前記音通路の前記第２の開口部と前記スピーカとは互いに固定されておらず、前記本体を前記外枠から開放した状態では、当該第２の開口部と前記スピーカとが離間することを特徴とする遊技機。
【請求項２】
前記外枠の前面側の下端部に、所定幅を有して横方向に延設された板部材を備え、
前記音出口は、前記板部材に穿設され、
前記板部材の裏面側において、前記音出口に、前記音通路の第１の開口部が接続され、
前記スピーカは、前記本体の裏面側の下部に設けられたと
を特徴とする請求項１に記載の遊技機。
【請求項３】
前記スピーカは、前記遊技機の裏面方向に向けて固定されていることを特徴とする請求項１又２に記載の遊技機。
【請求項４】
前記スピーカと前記音通路の第２の開口部との対向部には、音漏れ防止構造が設けられていることを特徴とする請求項１乃至３の何れかに記載の遊技機。
【請求項５】
前記音漏れ防止構造は、前記スピーカの前面が、前記音通路の第２の開口部内に入るように構成されて実現されていることを特徴とする請求項４に記載の遊技機。
【請求項６】
前記音漏れ防止構造は、前記スピーカの前面が前記音通路の第２の開口部の周囲の部材に当接するように構成されて実現されていることを特徴とする請求項４に記載の遊技機。
【請求項７】
前記音漏れ防止機構は、前記スピーカの前面側及び前記音通路の第２の開口部側の少なくとも一方に、可撓部材が設けられて、当該可撓部材により隙間を塞ぐことにより実現されていることを特徴とする請求項４に記載の遊技機。
【請求項８】
前記音通路は、第１の開口部の開口面積が第２の開口部の開口面積よりも広いホーン構造であることを特徴とする請求項１乃至７に記載の遊技機。
【請求項９】
前記遊技機は、パチンコ機であり、
前記本体の前面側の下部には、遊技球を貯める下皿部が設けられ、
前記スピーカは、前記下皿部の裏面側に固定されていることを特徴とする請求項１乃至８に記載の遊技機。
【発明の詳細な説明】
【技術分野】
【０００１】
本発明は遊技機に関し、詳細には、効果音発生用のスピーカを備えた遊技機に関する。
【背景技術】
【０００２】
従来、パチンコ機やパチスロ機等の遊技機では、各種の効果音を発生するためのスピーカが内部に設けられている。具体的には、これらの遊技機では、遊技機の外郭をなす木製の外枠（木枠とも言う。）内に、開閉可能に遊技機の主要機構を搭載した中枠（機枠とも言う）が設けられ、当該中枠の前面側の下部や上部にスピーカが設けられている物が多い。しかしながら、パチンコ機であれば、中枠の下部の裏面側には、パチンコ機の表側に設けられた上皿や下皿への遊技球の払い出し機構や遊技球を発射する発射機構等が設けられており、また、パチスロ機であれば、コインの払い出し口等の機構が設けられているため、スピーカの設置スペースは限られたものとなっている。また、中枠の上部にスピーカを設けると、その場所には、他の部材、例えば、装飾部材や装飾ランプを設置できないことになるという問題点があった。この問題を解決するために、外枠の下端部に設けられた遮蔽板にスピーカを設けた遊技機が提案されている（例えば、特許文献１参照）。
【０００３】
【特許文献１】特開２００３−７９８３２号公報
【発明の開示】
【発明が解決しようとする課題】
【０００４】
しかしながら、特許文献１に記載の遊技機のように、外枠の下端部に設けられた遮蔽板にスピーカを設けると、遊技機の機構部と当該機構部が固定された中枠を含む本体は外枠に着脱可能となっており、また、当該本体は外枠に軸支されて開閉されるため、組み立て時には、外枠への本体の設置後に、機構部に設けられた制御装置側とスピーカとの配線をする必要がある。さらに、メンテナンスために外枠から本体を取り外す場合には、スピーカの配線を取り外す必要がありメンテナンスに時間がかかるという問題点があった。また、配線を外すのを忘れて本体を開放したり、取り外したりすると、配線を切断してしまうという問題点があった。
【０００５】
本発明は、上記課題を解決するためになされたものであり、外枠に音の出口を設けても、本体の取り外しや開閉を容易にできる遊技機を提供することを目的とする。
【課題を解決するための手段】
【０００６】
上記課題を解決するため、請求項１に記載の遊技機は、遊技機の機体の外郭を構成し、且つ、当該遊技機が設置される島設備に固定される外枠と、当該外枠に設けられた音出口と、前記外枠の裏面側で前記音出口に、第１の開口部が接続された音響伝達用の音通路と、前記外枠に開閉可能に支持された本体の裏面側に設けられたスピーカとを備え、前記音通路の前記第１の開口部と連通した第２の開口部は、前記スピーカと対向する位置に設けられ、且つ、前記音通路の前記第２の開口部と前記スピーカとは互いに固定されておらず、前記本体を前記外枠から開放した状態では、当該第２の開口部と前記スピーカとが離間することを特徴とする。
【０００７】
また、請求項２に係る発明の遊技機では、請求項１に記載の発明の構成に加えて、前記外枠の前面側の下端部に、所定幅を有して横方向に延設された板部材を備え、前記音出口は、前記板部材に穿設され、前記板部材の裏面側において、前記音出口に、前記音通路の第１の開口部が接続され、前記スピーカは、前記本体の裏面側の下部に設けられたとを特徴とする。
【０００８】
また、請求項３に係る発明の遊技機では、請求項１又は２に記載の発明の構成に加えて、前記スピーカは、前記遊技機の裏面方向に向けて固定されていることを特徴とする。
【０００９】
また、請求項４に係る発明の遊技機では、請求項１乃至３の何れかに記載の発明の構成に加えて、前記スピーカーと前記音通路の第２の開口部との対向部には、音漏れ防止構造が設けられていることを特徴とする。
【００１０】
また、請求項５に係る発明の遊技機では、請求項４に記載の発明の構成に加えて、前記音漏れ防止構造は、前記スピーカーの前面が、前記音通路の第２の開口部内に入るように構成されて実現されていることを特徴とする。
【００１１】
また、請求項６に係る発明の遊技機では、請求項４に記載の発明の構成に加えて、前記音漏れ防止構造は、前記スピーカーの前面が前記音通路の第２の開口部の周囲の部材に当接するように構成されて実現されていることを特徴とする。
【００１２】
また、請求項７に係る発明の遊技機では、請求項４に記載の発明の構成に加えて、前記音漏れ防止機構は、前記スピーカーの前面側及び前記音通路の第２の開口部側の少なくとも一方に、可撓部材が設けられて、当該可撓部材により隙間を塞ぐことにより実現されていることを特徴とする。
【００１３】
また、請求項８に係る発明の遊技機では、請求項１乃至７に記載の発明の構成に加えて、前記音通路は、第１の開口部の開口面積が第２の開口部の開口面積よりも広いホーン構造であることを特徴とする。
【００１４】
また、請求項９に係る発明の遊技機では、請求項１乃至８に記載の発明の構成に加えて、前記遊技機は、パチンコ機であり、前記本体の前面側の下部には、遊技球を貯める下皿部が設けられ、前記スピーカーは、前記下皿部の裏面側に固定されていることを特徴とする。
【発明の効果】
【００１５】
請求項１に係る発明の遊技機では、外枠に音出口が設けられ、外枠の裏面側で音出口に、音響伝達用の音通路の第１の開口部が接続され、音通路の第１の開口部と連通した第２の開口部は、本体に設けられたスピーカーと対向する位置に設けられ、且つ、音通路の第２の開口部とスピーカーとは互いに固定されておらず、本体を前記外枠から開放した状態では、第２の開口部と前記スピーカとが離間することができるので、本体の前面側に音出口を設ける必要が無くなり、本体の前面のスペースに他の装飾部材や装飾ランプを設けることができ、スペースを有効に活用できる。また、音通路の第２の開口部と前記スピーカとが互いに固定されておらず、自由に離間することができるので、本体の外枠からの着脱や開放時に、スピーカの配線を外す必要がなく、スピーカの配線の断線の虞もない。
【００１６】
また、請求項２に係る発明の遊技機では、請求項１に記載の発明の効果に加えて、外枠の前面側の下端部に所定幅を有して横方向に延設された板部材に、音出口が穿設され、板部材の裏面側において、当該音出口に音通路の第１の開口部が接続され、前記スピーカは、前記本体の裏面側の下部に設けられるので、音出口及び音通路の第１の開口部が、十分な空きスペースのある外枠の下端部の裏面側に配置できる。従って、音出口及び音通路の第１の開口部を比較的自由に設計することが可能となり、品質の高い大きな効果音を発生することが可能となる。
【００１７】
また、請求項３に係る発明の遊技機では、請求項１又は２に記載の発明の効果に加えて、スピーカは、遊技機の裏面方向に向けて固定されている。即ち、スピーカの前面が遊技機の裏面方向に向き、スピーカのマグネット側を遊技機の前面方向に向けて固定されているので、スピーカを場所を取らずに取り付けでき、又、本体を開放するときに自然に音通路の第２の開口部から離間することができる。
【００１８】
また、請求項４に係る発明の遊技機では、請求項１乃至３に記載の発明の効果に加えて、スピーカーと音通路の第２の開口部との対向部には、音漏れ防止構造が設けられているので、音漏れを防止して、品質の高い大きな効果音を発生することができる。
【００１９】
また、請求項５に係る発明の遊技機では、請求項４に記載の発明の効果に加えて、音漏れ防止構造は、スピーカーの前面の一部が、音通路の第２の開口部内に入るように構成されて実現されているので、有効に音漏れを防止することができる。
【００２０】
また、請求項６に係る発明の遊技機では、請求項４に記載の発明の効果に加えて、音漏れ防止構造は、スピーカーの前面が前記音通路の第２の開口部の周囲の部材に当接するように構成されて実現されているので、本体を閉じた状態では、スピーカーの前面が前記音通路の第２の開口部の周囲の部材に当接して、有効に音漏れを防止することができる。
【００２１】
また、請求項７に係る発明の遊技機では、請求項４に記載の発明の効果に加えて、前記音漏れ防止機構として、前記スピーカーの前面側及び前記音通路の第２の開口部側の少なくとも一方に、可撓部材が設けられているので、当該可撓部材により隙間を塞ぐことにより有効に音漏れを防止することができる。
【００２２】
また、請求項８に係る発明の遊技機では、請求項１乃至７に記載の発明の効果に加えて、音通路は、第１の開口部の開口面積が第２の開口部の開口面積よりも広いホーン構造であるので、高品質で、大きな音を発することができる。
【００２３】
また、請求項９に係る発明の遊技機では、請求項１乃至８に記載の発明の効果に加えて、遊技機がパチンコ機の場合には、スピーカーは、比較的スペースに余裕のある下皿部の裏面側に固定されているので、本体の上部等に設けられるスピーカよりも大きめのスピーカを用いることができる。
【発明を実施するための最良の形態】
【００２４】
本発明の遊技機としての一実施の形態であるパチンコ機１について、図面を参照しながら、以下に説明する。まず始めに、図１を参照して、パチンコ機１の正面から見た機械的構成の概要について説明する。図１はパチンコ機１の正面図である。
【００２５】
図１に示すように、パチンコ機１は、その正面の上半分の部分に、後述する発射ハンドル７の操作により図示外の発射機から発射された遊技球が流下する遊技盤２が設けられている。この遊技盤２は略正方形であり、その前面は透明なガラス板（図示せず）を保持したガラス枠３で保護されている。遊技盤２の下方部には、発射機に遊技球を供給し、かつ賞品球を受ける上皿５が設けられている。そして、上皿５の直下には、同じく賞品球を受ける下皿６が設けられ、下皿６の右横には遊技球の発射スピードを調整する発射ハンドル７が設けられている。
【００２６】
また、パチンコ機１の下部には、上下方向の幅が所定幅（一例として、約５センチ幅）で、横方向の長さが、パチンコ機１の横方向の幅と同じに形成された板部材８が後述する外枠４に固定されている。この板部材８には、小判型に穿設された開口部である音出口９，１０が左右一対設けられ、当該音出口９，１０には、内部が見えないように多数の小さな開口部を有したスピーカグリル９ａ，１０ｂが設けられている。尚、音出口９，１０の裏面側には、後述するダクト１９，２０が各々設けられている。
【００２７】
次に、図２乃至図７を参照して、パチンコ機１のスピーカ１５，１６及び音通路としてのダクト１９，２０の配置及び構造について説明する。図２は、パチンコ機１の背面図であり、図３及び図４は、ガラス枠３及び本体１３を開放した状態を示す斜視図であり、図５は、図２のＡ−Ａ線に於ける板部材８及びダクト２０の矢視方向部分断面図であり、図６は、図２のＡ−Ａ線に於ける中枠１４の矢視方向部分断面図であり、図７は、図２のＡ−Ａ線に於ける遊技機１の矢視方向部分断面図である。
【００２８】
図２に示すように、パチンコ機１を背面側から見ると、パチンコ機１の機体の外郭を構成する外枠４が設けられている。また、図３及び図４に示すように、当該外枠４には、ガラス枠３や、パチンコ機１の各制御基板や電源装置や賞球機構等の主要機構からなる機構部１８と中枠１４とから構成された本体１３が回動可能に軸支されている。外枠４は、下枠部４ａと、縦枠部４ｂ，４ｃと、上枠部４ｄとから構成され、縦長の「ロ」の字型に形成された木製の部材である。この外枠４の前面側（遊技者に対向する側）の下端部には、前述の板部材８が固定され、外枠の一部を成している。尚、この外枠４がパチンコ機１が設置される島設備に固定される。
【００２９】
また、図２に示すように、板部材８の裏面側（遊技機の内部側）には、背面視、逆Ｔ字型のダクト１９，２０が左右一対設けられている。このダクト１９，２０は、四隅をねじ止めされて、板部材８の裏面側に固定されている。
【００３０】
次に、ダクト１９，２０の構造の詳細を説明する。尚、ダクト１９とダクト２０とは、左右対称の構造であるので、以下、図４及び図７に示すダクト２０を例に説明するが、ダクト１９もダクト２０と左右対称である以外は、同一構造である。
【００３１】
図４及び図７に示すように、音通路としてのダクト２０は、内部が中空に形成された樹脂製のダクトであり、板部材８の裏面側で、音出口１０に当接して連通する第１の開口部２０ａと、本体１３を構成する中枠１４の下端部に設けられたスピーカ１６に当接する第２の開口部２０ｂとから構成され、当該第１の開口部２０ａ及び第２の開口部２０ｂの間が連通している。また、ダクト２０は、第１の開口部２０ａの上部に第２の開口部２０ｂが位置するように屈曲され、第１の開口部２０ａ及び第２の開口部２０ｂは、パチンコ機１の表面（前面）方向に向けて開放されている。また、第１の開口部２０ａ及び第２の開口部２０ｂの各先端面は、略同一平面上に位置している。さらに、第１の開口部２０ａの開口面積が、第２の開口部２０ｂの開口面積に比べて広くなっており、ダクト２０は、所謂「ホーン」構造となっている。
【００３２】
次に、図４、図６及び図７を参照して、スピーカ１６について説明する。このスピーカ１６は、その前面をパチンコ機１の裏面方向（背面方向）に向けて、本体１３を構成する中枠１４の下端部の裏面側（下皿６の裏面側）にねじ止めにより固定されている。尚、スピーカ１６のマグネット部１６ａは、中枠１４の裏面側に設けられた凹部１４ａに収納され、スピーカ１６の前面は、中枠１４の裏面側の面と平行になっている。従って、スピーカ１６は、ダクト２０の第２の開口部２０ｂと対向することになる。尚、スピーカ１５も中枠１４の下端部の裏面側にねじ止めによりスピーカ１６と同様に固定されている。従って、スピーカ１５，１６は、比較的スペースに余裕のある中枠１４の下端部の裏面側に固定されているので、本体の上部等に設けられる従来のスピーカよりも大きめのスピーカを用いることができる。
【００３３】
次に、図７を参照して、スピーカ１６とダクト２０の第２の開口部２０ｂとの当接構造について説明する。図７に示すように、中枠１４を閉じた状態では、スピーカ１６の取り付け箇所の周囲の中枠１４の部材にダクト２０の第２の開口部２０ｂ側の先端部２０ｃが当接する。そして、スピーカ１６の前面部は、ダクト２０の第２の開口部２０ｂ内に入る。この構造により音漏れ防止構造を実現する。従って、ダクト２０の第２の開口部２０ｂ側の先端部２０ｃとスピーカ１６取り付け箇所の周囲の中枠１４との当接部からは、音漏れがすることがなく、スピーカ１６から発音された効果音は、ダクト２０内を第２の開口部２０ｂ側から第１の開口部２０ａ側へ伝わり、音出口１０から放出される。ここで、ダクト２０は、ホーン構造であるので、スピーカ１６から発音された効果音は、ホーン構造のダクト２０を伝わって、高品質の大きな音で、遊技者に向けて放出される。
【００３４】
尚、スピーカ１６は、中枠１４側に固定され、スピーカ１６とダクト２０の第２の開口部２０ｂとは互いに接続されていない（固定されていない）ので、図４に示すように、本体１３（中枠１４）の開放によりスピーカ１６とダクト２０の第２の開口部２０ｂとは、自由に離間できる。従って、本体１３（中枠１４）を開放する場合にも、いちいち、スピーカ１６とダクト２０の第２の開口部２０ｂとの接続を外す必要がなく、また、スピーカ１６等の配線を外す必要もなく、当該配線を断線する虞もない。従って、本体１３（中枠１４）を自在に開放できる。また、ダクト２０も外枠４の下端部に設けられた板部材８に固定されているので、パチンコ機１のメンテナンス時にも邪魔にならない。 尚、ダクト１９とスピーカ１５の関係も上記と同様である。
【００３５】
尚、本発明は、上記実施の形態に限られず、各種の変形が可能である。例えば、ダクト２０の第２の開口部２０ｂの先端部２０ｃに、図８に示すように、ゴム、スポンジ、フェルト等の可撓部材２１を設けても良い。また、当該可撓部材２１を設ける代わりに、図９に示すように、スピーカ１６の前面部の周囲にゴム、スポンジ、フェルト等の可撓部材２２を設けても良い。さらに、可撓部材２１及び可撓部材２２の両方を設けても良い。このようにすることにより、音漏れを確実に防止できる。また、ダクト２０の第２の開口部２０ｂの先端部２０ｃ側がスピーカ１６の周囲の中枠１４に必ずしも当接しなくても、上記の可撓部材２１，２２を設けることにより、音漏れを防止できる。さらに、ダクト１９，２０を金属等から構成しても良い。
【００３６】
また、ダクト２０の第２の開口部２０ｂの先端部２０ｃ側を、可撓性を有する樹脂から構成して、ダクト２０の第２の開口部２０ｂの先端部２０ｃ側がスピーカ１６の周囲の中枠１４に当接したときに撓んで密着し、音漏れを防止するようにしても良い。尚、ダクト１９，２０は、必ずしもホーン構造でなくても、内部が連通して音通路を構成していれば良い。
【００３７】
また、図１０に示すように、中枠１４から水平に延設されたブラケット２３にスピーカ１６を下向きに取り付け、ダクト２０の第２の開口部２０ｂを上に向けて構成しても良い。このようにしても中枠１４は、自由に開放できる。また、ダクトやスピーカを設けるのは、必ずしも遊技機の下部に限られず、遊技機の上部や側部に上記実施の形態と同じ構造を設けても良い。
【００３８】
また、図１１に示すように、スピーカ１５，１６は、中枠部１４でなく、機構部１８に設けても良い。このようにすることにより、中枠１４と機構部１８とを含む本体１３を自由に開閉することができ、本体１３の着脱時にもスピーカ１５，１６の配線の取り外しの必要がない。
【００３９】
尚、本発明は、パチンコ機に限られず、効果音を発するスピーカを内蔵したパチスロ機、パチコン機等の各種の遊技機に適用できる。
【図面の簡単な説明】
【００４０】
【図１】パチンコ機１の正面図である。
【図２】パチンコ機１の背面図である。
【図３】ガラス枠３及び中枠１４を開放した状態を示す斜視図である。
【図４】ガラス枠３及び中枠１４を開放した状態を示す斜視図である。
【図５】図２のＡ−Ａ線に於ける板部材８及びダクト２０の矢視方向部分断面図である。
【図６】図２のＡ−Ａ線に於ける中枠１４の矢視方向部分断面図である。
【図７】図２のＡ−Ａ線に於ける遊技機１の矢視方向部分断面図である。
【図８】変形例を示す部分断面図である。
【図９】変形例を示す部分断面図である。
【図１０】変形例を示す部分断面図である。
【図１１】スピーカ１５，１６を機構部１８に設けた変形例を示す斜視図である。
【符号の説明】
【００４１】
１  パチンコ機
２  遊技盤
３  ガラス枠
４  外枠
４ａ  下枠部
４ｂ，４ｃ  縦枠部
４ｄ  上枠部
５  上皿
６  下皿
７  発射ハンドル
８  板部材
９，１０  音出口
９ａ，１０ｂ  スピーカグリル
１３  本体
１４  中枠
１５，１６  スピーカ
１８  機構部
１９，２０  ダクト（音通路）
２０ａ  第１の開口部
２０ｂ  第２の開口部
２０ｃ  先端部
２１，２２  可撓部材
２３  ブラケット
【図１】
2006197957.tif 000003
【図２】
2006197957.tif 000004
【図３】
2006197957.tif 000005
【図４】
2006197957.tif 000006
【図５】
2006197957.tif 000007
【図６】
2006197957.tif 000008
【図７】
2006197957.tif 000009
【図８】
2006197957.tif 000010
【図９】
2006197957.tif 000011
【図１０】
2006197957.tif 000012
【図１１】
2006197957.tif 000013